(57)【要約】【課題】プリザーブドフラワーを使用して制作した人形を提供する。【解決手段】人形用のトルソー１と、トルソーに装着した下地スカートと、所望枚数のプリザーブドフラワーの花びら４とを備える。所望枚数の前記花びらをスカートの略全域及びトルソーの所望の部位に所望の形態でアレンジして配置し、各花びらの所望の部位をスカート及びトルソーに接着して創作した所望のデザインのドレス３をトルソーにまとわせてプリザーブドフラワー人形を制作する。【選択図】図１
2017108764.tif 000002
【特許請求の範囲】
【請求項１】
プリザーブドフラワーを使用して制作した人形であって、
人形用のトルソーと、当該トルソーに装着した下地スカートと、前記トルソーにまとわせて装着した所望のデザインのドレスとを備え、
前記ドレスは、所望枚数のプリザーブドフラワーの花びらを所望の形態でアレンジして配置すると共に前記各花びらの所望の部位を接着して制作されている
ことを特徴とするプリザーブドフラワー人形。
【請求項２】
請求項１に記載のプリザーブドフラワー人形において、
前記ドレスは、所望枚数の前記花びらを前記スカートの略全域及び前記トルソーの所望の部位に所望の形態でアレンジして配置され、前記各花びらの所望の部位を前記スカート及び隣接する前記花びら同士の所望の部位並びに前記トルソーに接着して制作されていることを特徴とするプリザーブドフラワー人形。
【請求項３】
請求項１又は２に記載のプリザーブドフラワー人形において、
前記フラワー人形は、前記フラワー人形の所望の部位に取付けたレース、リボン、ビーズその他の所望の装飾品をさらに備えていることを特徴とするプリザーブドフラワー人形。
【発明の詳細な説明】
【技術分野】
【０００１】
本発明は、プリザーブドフラワー人形、さらに詳しくは、プリザーブドフラワーを使用して制作した人形に関する。
【背景技術】
【０００２】
プリザーブドフラワーは、生花の組織液を保存薬で置換した加工花である。プリザーブドフラワーは、花、特に花びら（花弁）に鮮やかさや瑞々（みずみず）さがあり、これを長期（数年）にわたって保つことができるので高い人気がある。
【０００３】
従来より、プリザーブドフラワーを利用して製造した身飾品や頭飾品などの装飾品が一般に知られている（例えば、特許文献１，２等参照）。
【先行技術文献】
【特許文献】
【０００４】
【特許文献１】特開２０１１−１０２４４１号公報
【特許文献２】特開２０１０−２２２７３５号公報
【発明の概要】
【発明が解決しようとする課題】
【０００５】
特許文献１及び２に記載の発明（先行発明）は、それぞれの特性を有している。しかし、先行発明の装飾品は、いずれも外観上において元の生花の形状を呈しているので、表現領域や芸術的な思考等において物足りない面があるように思われる。
【０００６】
そこで、本発明は発想を転換して、外観を花の形状から離れ、プリザーブドフラワーの有する特長を有効的に活用し、前記フラワーを使用して制作した人形を提供することを目的とするものである。
【課題を解決するための手段】
【０００７】
上記目的を達成するため、本発明のうち１つの発明（第１の発明）は、プリザーブドフラワーを使用して制作した人形であって、
人形用のトルソーと、当該トルソーに装着した下地スカートと、前記トルソーにまとわせて装着した所望のデザインのドレスとを備え、
前記ドレスは、所望枚数のプリザーブドフラワーの花びらを所望の形態でアレンジして配置すると共に前記各花びらの所望の部位を接着して制作されていることを特徴とする。
【０００８】
本発明において、「人形用のトルソー」の形状は特に限定するものではなく、直立形や腰掛け形その他所望の形状に形成することができる。また、本発明において、「人形用のトルソー」には頭部や腕付きのものも含まれる。さらにまた、本発明において、「プリザーブドフラワー」の花の種類は特に限定するものではない。この点については、追って「発明を実施するための形態」の項で詳細に説明する。
【０００９】
本発明の他の１つの発明（第２の発明）は、第１の発明のプリザーブドフラワー人形において、前記ドレスは、所望枚数の前記花びらを前記スカートの略全域及び前記トルソーの所望の部位に所望の形態でアレンジして配置され、前記各花びらの所望の部位を前記スカート及び隣接する前記花びら同士の所望の部位並びに前記トルソーに接着して制作されていることを特徴とする。
【００１０】
本発明のさらに他の１つの発明（第３の発明）は、第１及び第２の発明のプリザーブドフラワー人形において、前記フラワー人形は、前記フラワー人形の所望の部位に取付けたレース、リボン、ビーズその他の所望の装飾品をさらに備えていることを特徴とする。
【発明の効果】
【００１１】
本発明によれば、次のような作用効果を奏する。
（１）貴賓と優雅さとを兼ね備えた人形の作品を提供することができる。
（２）美的感覚的に優れた芸術的作品を提供できる。
（３）プリザーブドフラワーの花びらをアレンジして所望のデザインのドレスを表現することができる。
（４）ドレスはプリザーブドフラワーの花びらで構成されているので、美しさを長期間にわたって保つことができる。
（５）プリザーブドフラワーの用途分野を拡大することができる。
【図面の簡単な説明】
【００１２】
【図１】本発明の一実施形態のプリザーブドフラワー人形を台座上に載置し、その構成を概略的に示す説明正面図である。
【図２】同じく背面図である。
【図３】前記プリザーブドフラワー人形の一部の主要な構成部材を概略的に示す図であって、同図（ａ）は人形用のトルソーの説明斜視図、同図（ｂ）は下地スカートを形成する下地スカート布を示す説明平面図、同図（ｃ）はプリザーブドフラワーの花びら（花弁）の一例の構成を概略的に示す説明平面図である。
【図４】前記トルソーに下地スカートを装着した一例の構成を概略的に示す説明斜視図である。
【図５】前記スカートの裾にレースを一周させて装着した状態の構成を概略的に示す説明図である。
【図６】前記レースの上方側に位置させて、前記スカートを一周させて複数枚の前記花びらをアレンジして一段接着して装着した状態の構成を概略的に示す説明図である。
【図７】複数枚の前記花びらをアレンジして前記スカートに三段接着すると共に三段目の前記花びら群の上部側にスカートを一周させてレース（小）を接着して装着し、さらに前記レース（小）の上方部側に位置させて、前記と同様に複数枚の花びらをアレンジしてスカートに三段接着すると共に最上段の花びら群の上部側にスカートを一周させてレース（小）を接着して装着した状態の構成を概略的に示す説明図である。
【図８】図７に示す上部側のレース（小）の上方部に位置させて、前記レースとトルソーのウエスト部との間に前記と同様に複数枚の花びらをアレンジして複数段（図示では四段）接着した状態の構成を概略的に示す説明図である。
【図９】前記トルソーの胸部に前記花びら（小）をアレンジして所望段接着すると共に前記トルソーの肩部に衿レースを接着して装着し、かつ、前記トルソーのウエスト部にウエストリボンを強く締めつけて装着した状態の構成を概略的に示す説明図である。
【発明を実施するための形態】
【００１３】
以下、図面を参照して本発明のプリザーブドフラワー人形の実施形態の一例について説明する。
【００１４】
図１ないし図９は、本発明の一実施形態のプリザーブドフラワー人形を示す。
【００１５】
図１ないし図９に示すように、本実施形態のプリザーブドフラワー人形１００は、人形用のトルソー１と、トルソー１に装着する下地スカート２と、トルソー１にまとわせて装着する所望のデザインのドレス３とを備える。ドレス３は所望ないし必要枚数のプリザーブドフラワーの花びら（花弁）４…４をアレンジして構成されている。
【００１６】
また、本実施形態のフラワー人形１００は、レース、リボン、ビーズその他の装飾品を備える。前記装飾品については追って説明する。
【００１７】
前記トルソー１は、フラワー人形１００の身体を構成するものである。トルソー１の形状等は特に限定するものではなく、直立形や腰掛け形その他所望の形状に形成することができる。
【００１８】
本実施形態のトルソー１は直立形に形成したものを採用している。トルソー１の大きさは特に限定するものではなく所望に応じて任意に設定できるものであるが、例えば身長の寸法が約１５ｃｍないし約３０ｃｍ程度の範囲を挙げることができる。なお、トルソーの大きさの寸法は上記範囲に限定するものではないが、上記範囲より大き過ぎたり、逆に小さ過ぎたりすることは、あまり好ましくない。
【００１９】
本実施形態のトルソー１は、頭部及び腰部を欠除した高さの寸法（下端から首部の上端までの寸法）が約２０〜約２２ｃｍ程度の直立形のトルソーを採用している。この場合において、頭部や腕付きのトルソーを採用することもできる。
【００２０】
前記下地スカート２は、トルソー１に装着されている。本実施形態のスカート２は、図３（ｂ）に示すように、トルソーに対応する大きさの略扇形状に形成した下地スカート布２ａの両側縁部の所望の部位を縫着して構成されている。本実施形態のスカート２は、スカートの上端をトルソー１のウエスト部に接着する等によりトルソーに装着されている。
【００２１】
前記下地スカート２の前記スカート布２ａの素材は特に限定するものではなく、所望の素材を選択して採用できる。本実施形態では、適当の硬さと可撓性及び形状保持性を有する織布や不織布などの布材で構成したスカート布を採用している。
【００２２】
前記ドレス３は、トルソー１にまとわせて装着されている。前記ドレス３は、所望枚数のプリザーブドフラワーの花びら（花弁）４…４を所望のデザインにアレンジして、前記各花びら４の所望の部位を糊や接着剤などで接着して制作されている。
【００２３】
前記ドレス３は、ウエストを可及的に細く見せるようにするため、トルソー１のウエスト部１０に位置する部位をウエストリボン３０で強く締め付けて装着されている。
【００２４】
前記プリザーブドフラワーの花の種類は特に限定されるものではなく、例えば、バラ、カーネーション、アジサイ、チューリップ、ユリ、スイートピー、デンファレ、ダリアその他所望の花を任意に選択して採用できる。また、所望の色の花びら（花弁）を採用できる。
【００２５】
本実施形態では、バラのプリザーブドフラワーの白色の花びら（花弁）を採用している。本実施形態では、図３（ｃ）に示すように、花びら４（花弁）を略中央部でカット４０し、同図において花びら４の上半部４ａを使用している。なお、本実施形態では、前記図において花びら４の下半部４ｂは使用していない。
【００２６】
本実施形態のフラワー人形１００は、図１及び図２に示すように、スカート２の裾に、当該裾を一周させて設けたレース３１（図５も参照）、ドレス３の中間部を一周させて設けたレース３２、３３（図７も参照）、及びウエストバックリボン３４を備える。また、トルソーの肩部に接着して設けた衿レース３５、衿レース３５の上部に接着して設けたビーズブレード３６、前記レース３２及び３３等に接着して散設したダイヤ風の装飾ビーズ３７…３７、トルソーの首部１１に装着したリボンネックレス３８、及び前記首部１１の上端に接着して設けた頭部装飾体３９等を備える。図１及び図２において、５は前記フラワー人形１００を載置する六角形の台座を示す。
【００２７】
本実施形態のプリザーブドフラワー人形１００は上記のように構成されている。次に前記フラワー人形１００の製作方法の一例について説明する。
【００２８】
図３（ｃ）に示す下地スカート布２ａの所定部を縫着して下地スカート布２ａを作製し、図４に示すように、トルソー１にスカート２を装着する。前記スカート２を装着する際に、スカート２の上端部をトルソーのウエスト部１０に接着等により整えて固定する。
【００２９】
次に図５に示すように、スカート２の裾にレース３１を一周させ、レース３１の上縁部をスカート２に接着して装着する。
【００３０】
次に図６に示すように、前記レース３１の上方側に位置させて、スカートを一周させて複数枚（所望枚数）の前記花びら４をアレンジして配置し、例えば三段（図６では一段を開示）接着する。
【００３１】
上記接着方法は例えば次のように行なう。即ち、花びら４をアレンジして配置し、各花びら４の図において上縁部をスカートに接着すると共に隣接する花びら同士の重合する上部側等を接着して一段目の花びら群をスカートに接着する。次いで一段目の花びら群の上部側に前記と同様に花びらをアレンジして配置し、前記と同様に接着して二段目の花びら群をスカートに接着する。三段目の花びら群は二段目の花びら群の上部側に位置させて前記と同様に接着する。上記により、所望の複数枚の花びら４をアレンジしてスカートを一周して三段接着できる。
【００３２】
次いで、図７に示すように、三段目の前記花びら群の上方部側に位置させて、スカート２を一周させてレース３２を接着して装着する。そして、レース３２の上方部側に位置させて、前記と同様に複数枚の花びら４をアレンジしてスカートを一周して三段接着すると共に最上段の花びら群の上部側に位置してスカートを一周してレース３３をスカートに接着して装着する。
【００３３】
次いで、図８に示すように、前記レース３３の上方部側に位置して、前記レース３３とトルソーのウエスト部１０との間に所望の複数枚の花びらをアレンジして複数段（図示では四段）接着する。
【００３４】
次に図９に示すように、トルソー１の胴部１２（符号は図８参照）に所望の複数枚の花びら４（小さめの花びら）を前記と同様にアレンジして複数段（図示では三段）接着すると共にトルソーの肩部１３（符号は図８参照）に衿レース３５（例えばオーガンジー製等）を接着して装着し、また、衿レース３５上にビーズブレード３６を接着する。上記により、所望枚数のプリザーブドフラワーの花びら（花弁）を所望の形態でアレンジし、トルソーにまとわせて装着した所望のデザインのドレス３を制作する。
【００３５】
そして、トルソーのウエスト部１０にウエストリボン３０を強く締めつけて装着すると共にウエストバックリボン３４を接着して取付ける。また、ドレス３のレース３２、３３及びドレス３の所望部位に装飾ビーズ３７…３７を接着して散設し、トルソーの首部１１にリボンネックレス３８及びトルソーの首部の上端に頭部装飾体３９を接着して装着し、図１及び図２に示すプリザーブドフラワー人形１００を制作する。
【００３６】
なお、本実施形態では、人形用のトルソー１として、直立形のトルソーを採用した例を開示したが、腰掛け形その他所望の形状のトルソーを採用することができること勿論である。
【００３７】
また、ドレス３のデザインは一例として開示したもので、所望枚数の前記花びら４を任意の形態にアレンジして図示以外の所望のデザインのドレスを制作するように構成できること勿論である。
【００３８】
なお、上記した実施形態のプリザーブドフラワー人形は一例として開示したもので、本発明は上記実施形態に限定されるものではなく、特許請求の範囲に記載の技術思想を越脱しない範囲において任意に変更可能なものである。
【符号の説明】
【００３９】
１      人形用トルソー
２      下地スカート
３      ドレス
４      プリザーブドフラワーの花びら
３０    ウエストリボン
３１、３２、３３      レース
３４    ウエストバックリボン
３５    衿レース
３７    装飾ビーズ
３９    頭部装飾体
【図１】
2017108764.tif 000003
【図２】
2017108764.tif 000004
【図３】
2017108764.tif 000005
【図４】
2017108764.tif 000006
【図５】
2017108764.tif 000007
【図６】
2017108764.tif 000008
【図７】
2017108764.tif 000009
【図８】
2017108764.tif 000010
【図９】
2017108764.tif 000011